(57)【特許請求の範囲】
【請求項１】
第１の一次光源から出射された第１の照明光を端面から入射し、前記第１の照明光を屈曲して出射面より出射する第１の板状部材と、
前記第１の板状部材に重ね合わされて配置され、第２の一次光源から出射された第２の照明光を端面から入射すると共に、前記第１の板状部材から出射された前記第１の照明光を出射面と対向する裏面より入射し、前記第１及び第２の照明光を前記出射面より出射する第２の板状部材とを備え、
前記第１の板状部材は、
前記出射面及び又は前記出射面と対向する面に、１対の斜面による突起が前記端面に沿って繰り返し形成され、
前記第２の板状部材は、
少なくとも前記出射面と対向する面が平坦な面により形成され、
前記第１の照明光による第１の出射方向と、前記第１の出射方向と異なる前記第２の照明光による第２の出射方向とに指向性を有する
ことを特徴とするサイドライト型面光源装置。
【請求項２】
前記第２の板状部材の出射面に、前記第２の板状部材の出射面より出射される照明光の指向性を補正する光制御部材が配置された
ことを特徴とする請求項１に記載のサイドライト型面光源装置。
【請求項３】
前記第１の板状部材は、
前記出射面が長方形形状に形成され、前記長方形形状の短辺側の端面より前記第１の照明光を入射し、
前記第２の板状部材は、
前記出射面が前記第１の板状部材とほぼ等しい形状に形成され、短辺側の端面より前記第２の照明光を入射する
ことを特徴とする請求項１又は請求項２に記載のサイドライト型面光源装置。
【請求項４】
請求項１、請求項２又は請求項３に記載のサイドライト型面光源装置により液晶表示パネルを照明する
ことを特徴とする液晶表示装置。
【請求項５】
前記第１又は第２の一次光源からの前記第１又は第２の照明光の出射を選択的に停止し得るようにした
ことを特徴とする請求項４に記載の液晶表示装置。
【発明の詳細な説明】
【０００１】
【発明の属する技術分野】
本発明は、サイドライト型面光源装置及び液晶表示装置に関し、カーナビゲーションシステムに適用する車載の液晶表示装置等に適用することができる。本発明は、それぞれ光源を有する板状部材を積層し、各板状部材による指向性により照明光を出射するように面光源装置を構成することにより、必要に応じて指向性を切り換えることができるようにする。
【０００２】
【従来の技術】
従来、カーナビゲーションシステムの液晶表示装置においては、表示画面の正面方向にて最も視認性が向上するように、サイドライト型面光源装置により液晶表示パネルを照明するようになされている。
【０００３】
この種のサイドライト型面光源装置は、アクリル等の透明板状部材（以下導光板と呼ぶ）の端面より一次光源の照明光を入射し、この照明光を導光板の内部で繰り返し反射して伝搬する。さらにこの伝搬の際に漏れ出す照明光の指向性を、導光板の出射面に配置した光制御部材でなるプリズムシートにより補正する。これによりサイドライト型面光源装置は、照明光の指向性をこの出射面の法線方向に補正して液晶表示パネルに出射するようになされている。
【０００４】
【発明が解決しようとする課題】
ところでカーナビゲーションシステム等の車載用液晶表示装置は、安全のため走行中は表示を中止する。このような液晶表示装置において、走行中は運転手だけ表示を視聴できなくし、停止中は運転手も表示を視聴できるようにすれば便利であると考えられる。すなわちこのようにできれば、走行中、運転には何ら無関係の同乗者において、この種の液晶表示装置を視聴でき、安全性を損なうことなく、この種のシステムを有効に利用できると考えられる。
【０００５】
この場合液晶表示パネルに照明光を供給するサイドライト型面光源装置において、必要に応じて指向性を切り換えることができれば、このように走行中は同乗者のみ表示を視聴でき、停止中は搭乗者全員が表示を視聴することができる。
【０００６】
本発明は以上の点を考慮してなされたもので、必要に応じて指向性を種々に切り換えることができるサイドライト型面光源装置と、このサイドライト型面光源装置を用いた液晶表示装置を提案しようとするものである。
【０００７】
【課題を解決するための手段】
かかる課題を解決するため請求項１に係る発明においては、サイドライト型面光源装置に適用して、第１の一次光源から出射された第１の照明光を端面から入射し、第１の照明光を屈曲して出射面より出射する第１の板状部材と、第１の板状部材に重ね合わされて配置され、第２の一次光源から出射された第２の照明光を端面から入射すると共に、第１の板状部材から出射された第１の照明光を出射面と対向する裏面より入射し、第１及び第２の照明光を出射面より出射する第２の板状部材とを備え、第１の板状部材は、出射面及び又は出射面と対向する面に、１対の斜面による突起が端面に沿って繰り返し形成され、第２の板状部材は、少なくとも前記出射面と対向する面が平坦な面により形成され、第１の照明光による第１の出射方向と、第１の出射方向と異なる第２の照明光による第２の出射方向とに指向性を有するようにする。
【０００８】
請求項１に係る構成によれば、第１の板状部材により第１の出射方向による指向性の面光源と、第２の板状部材により第２の出射方向による指向性の面光源とにより照明光を出射することができ、均一な出射光量分布で、かつ必要に応じて第１又は第２の照明光の供給を停止することにより、選択的に、第１又は第２の指向性による照明光を出射することができる。
【００１１】
また請求項２に係る発明においては、請求項１の構成において、第２の板状部材の出射面に、第２の板状部材の出射面より出射される照明光の指向性を補正する光制御部材を配置する。
【００１２】
請求項２に係る構成によれば、第２の板状部材の出射面に、第２の板状部材の出射面より出射される照明光の指向性を補正する光制御部材を配置することにより、この第１及び第２の指向性を所望の指向性に補正することができる。
【００１３】
また請求項３に係る発明においては、請求項１又は請求項２の構成において、第１の板状部材が、出射面が長方形形状に形成され、長方形形状の短辺側の端面より第１の照明光を入射し、第２の板状部材が、出射面が第１の板状部材とほぼ等しい形状に形成され、短辺側の端面より第２の照明光を入射する。
【００１４】
請求項３に係る構成によれば、一般的な横長の表示画面による液晶表示装置に適用して、例えば運転席、助手席等の特定の位置より視聴する視聴者が、選択的に表示画面を視聴できるように照明光を出射することができる。
【００１５】
また請求項４に係る発明においては、液晶表示装置に適用して、請求項１、請求項２又は請求項３に記載のサイドライト型面光源装置により液晶表示パネルを照明する。
【００１６】
さらに請求項５に係る発明においては、請求項４の構成において、第１又は第２の光源からの第１又は第２の照明光の出射を選択的に停止し得るようにする。
【００１７】
【発明の実施の形態】
以下、適宜図面を参照しながら本発明の実施の形態を詳述する。
【００１８】
（１）第１の実施の形態
図１は、本発明の第１の実施の形態に係る液晶表示装置に適用されるサイドライト型面光源装置を示す分解斜視図であり、図２は、このサイドライト型面光源装置１を液晶表示パネル、駆動回路等と共に示す液晶表示装置の断面図である。
【００１９】
この液晶表示装置２は、カーナビゲーションシステムに適用され、サイドライト型面光源装置１に内蔵の２つの一次光源３Ａ及び３Ｂを駆動回路４により選択的に駆動することにより（図２）、走行中においては、助手席の搭乗者５Ａのみが視聴できるように表示画面を形成し、停車中においては、助手席及び運転席の搭乗者５Ａ及び５Ｂが共に視聴できるように表示画面を形成する。
【００２０】
このためサイドライト型面光源装置１は、第１及び第２の導光板７Ａ及び７Ｂの側方にそれぞれ一次光源３Ａ及び３Ｂを配置し、反射シート８、第１の導光板７Ａ、第２の導光板７Ｂ、光制御部材でなるプリズムシート９、光拡散シート１０を順次積層して作成される。
【００２１】
ここで一次光源３Ａ及び３Ｂは、それぞれ冷陰極管でなる蛍光ランプ１１Ａ及び１１Ｂの周囲をリフレクタ１２Ａ、１２Ｂで囲って形成され、リフレクタ１２Ａ、１２Ｂの開口側より導光板７Ａ及び７Ｂの端面（以下入射面と呼ぶ）７ＡＩ及び７ＢＩに照明光を入射する。ここでリフレクタ１２Ａ、１２Ｂは、入射光を正反射又は乱反射する反射部材であり、例えばシート材により形成される。
【００２２】
反射シート８は、金属箔等でなるシート状の正反射部材、又は白色ＰＥＴフィルム等でなるシート状の乱反射部材により形成され、導光板７Ａより漏れ出す照明光を反射して導光板７Ａに入射し、これにより照明光の利用効率を向上する。
【００２３】
第１の導光板７Ａは、断面楔型形状の板状部材であり、例えばポリメチルメタクリレート（ＰＭＭＡ）からなるマトリックス中に、これと屈折率の異なる透光性の微粒子を一様に分散混入して形成される。導光板７Ａは、導光板７Ｂ側の面（以下出射面と呼ぶ）７ＡＯが長方形形状に形成され、この長方形形状の長辺側に沿って板厚が徐々に低下するように形成される。導光板７Ａは、厚肉側の短辺に沿った端面が入射面７ＡＩに設定され、この入射面７ＡＩより一次光源３Ａの照明光ＬＡを入射する。これにより導光板７Ａは、入射面７ＡＩから入射した照明光ＬＡをこの透光性の微粒子により散乱させながら、出射面７ＡＯと、出射面７ＡＯと対向する面（以下裏面と呼ぶ）７ＡＲの間を繰り返し反射して照明光ＬＡを伝搬する。さらにこの伝搬の際に、臨界以下の入射角で出射面７ＡＯに入射する照明光ＬＡを出射面７ＡＯから出射する。
【００２４】
さらに導光板７Ａは、出射面７ＡＯに、内部を伝搬する照明光ＬＡの出射を促す光散乱パターンが形成され、これにより出射面７ＡＯより出射する照明光ＬＡの光量分布を均一化するようになされている。なおこの光散乱パターンは、出射面７ＡＯ側より肉眼にて目視困難な程度の微小な大きさ（例えば、より好ましくは８０〔μｍ〕以下程度の大きさ）により、出射面７ＡＯを部分的に粗面に形成される。さらに光散乱パターンは、不規則な配置により形成され、これにより液晶表示パネルとの間の干渉によるモアレ縞の発生を有効に回避できるようになされている。
【００２５】
さらに導光板７Ａは、符号Ａにより拡大して示すように、裏面７ＡＲに、１対の斜面による突起が入射面７ＡＩに沿って繰り返し形成される。ここでこれらの突起は、この１対の斜面を直接接続して断面三角形形状に形成される。これにより導光板７Ａは、出射面７ＡＯに入射する照明光ＬＡの入射角を低減し、効率良く照明光を出射し、さらには入射面７ＡＩに沿った面内方向にて指向性を見たとき、出射面７ＡＯの法線方向に鋭い指向性により照明光を出射する。その結果、この出射面７ＡＯから出射される照明光は、入射面７ＡＩに沿った面内方向にて、出射面７ＡＯの法線方向に向かって大きな光量により出射されることになる。
【００２６】
第２の導光板７Ｂは、第１の導光板７Ａと同一の材料により、ほぼ同一形状に形成される。また導光板７Ｂは、第１の導光板７Ａの楔型先端側の端面と、入射面７ＢＩがほぼ同一面を形成するように、導光板７Ａに重ね合わされて導光板７Ａの出射面側に配置される。これにより導光板７Ｂは、入射面７ＢＩ側に配置された一次光源３Ｂより照明光ＬＢを入射し、この照明光ＬＢをこの透光性の微粒子により散乱させながら、出射面７ＢＯと裏面７ＢＲとの間で繰り返し反射して伝搬する。さらに導光板７Ａより出射された照明光ＬＡを裏面７ＢＲより入射し、この入射した照明光ＬＡを透過して出射面７ＢＯより出射する。
【００２７】
さらに導光板７Ｂは、導光板７Ａと同様に、出射面７ＢＯに光散乱パターンが形成され、これにより内部を伝搬して出射する照明光の光量分布を均一化する。さらに導光板７Ｂは、符号Ｂにより拡大して示すように、裏面７ＢＲがほぼ平坦な鏡面により形成され、これにより導光板７Ａより裏面７ＢＲに入射する照明光を無駄なく内部に入射できるようになされている。
【００２８】
プリズムシート９は、この導光板７Ｂの内部を伝搬して出射される照明光と、導光板７Ａより出射されて導光板７Ｂを透過して到来する照明光との指向性を補正するために配置される。すなわちプリズムシート９は、ポリカーボネート等の透光性のシート材で形成され、導光板７Ｂと対向する側とは逆側の面にプリズム面が形成される。このプリズム面は、符号Ｃにより拡大して示すように、１対の斜面を直接接続した断面三角形形状の突起が導光板７Ｂの入射面の延長方向と直交する方向に繰り返されて形成される。
【００２９】
プリズムシート９は、この１対の斜面による頂角が６６度の角度に設定され、これら１対の斜面は、等しい傾きに設定される。
【００３０】
光拡散シート１０は、光拡散性を有するシート材により構成され、照明光を弱く散乱することにより、液晶表示パネルを介して導光板７Ａのエッジの輝き等を知覚することができないようにする。
【００３１】
以上の構成において、導光板７Ａ側の蛍光ランプ１１Ａから射出された照明光ＬＡは（図２）、直接に、又はリフレクタ１２Ａで反射した後、入射面７ＡＩより導光板７Ａの内部に入射し、内部の透光性の微粒子により散乱を受けながら、裏面７ＡＲと出射面７ＡＯの間で反射を繰り返して導光板７Ａの内部を伝搬する。このときこの照明光ＬＡは、裏面７ＡＲで反射する毎に出射面７ＡＯに対する入射角が低下し、出射面７ＡＯに対して臨界角以下の成分が出射面７ＡＯより出射される。
【００３２】
さらにこのとき照明光ＬＡは、導光板７Ａの出射面７ＡＯに形成された光散乱パターンにより出射が促される。これらにより照明光ＬＡは、出射面７ＡＯよりほぼ一定の光量分布により、さらに楔型先端側に向かって傾いた指向性により出射される。
【００３３】
さらに照明光ＬＡは、裏面７ＡＲに形成された１対の斜面による突起により、内部を伝搬する際に出射面７ＡＯに対する入射角が低減される。これにより裏面７ＡＲを平坦な面により形成した場合に比して内部にて少ない反射回数により出射面７ＡＯより出射され、その分効率良く出射される。また入射面７ＡＩに沿った面内方向にて指向性を見たとき、出射面７ＡＯの法線方向に鋭い指向性により出射され、これらの結果、指向性のピークにおいては、大きな光量により出射される。
【００３４】
このようにして導光板７Ａより楔型先端側に向かって傾いた指向性により出射される照明光ＬＡは、導光板７Ｂの裏面７ＢＲより導光板７Ｂに入射し、この導光板７Ｂを透過して導光板７Ｂの出射面７ＢＯから出射される。このとき導光板７Ｂの断面形状が楔型形状に形成されていることにより、導光板７Ｂの出射面７ＢＯから出射される照明光ＬＡ１は、出射方向が極僅か変化するものの、ほぼ導光板７Ａの出射面７ＡＯより出射された場合と同一の指向性により導光板７Ｂの出射面７ＢＯより出射される。
【００３５】
またこの照明光ＬＡ１は、導光板７Ｂの裏面７ＢＲがほぼ平坦な鏡面により作成されていることにより、効率良く導光板７Ｂに入射して導光板７Ｂの出射面７ＢＯから出射される。しかしながらこの照明光ＬＡ１は、導光板７Ｂを透過する際に、内部の微粒子により散乱されて減衰し、また効率良く導光板７Ｂの裏面７ＢＲより入射はするものの、裏面７ＢＲより入射する際に、幾分光量が減衰する。このような光量の減衰に対して、照明光ＬＡ１は、導光板７Ａの裏面７ＡＲに形成された１対の斜面により、指向性のピークにおいて大きな光量により導光板７Ｂの裏面７ＢＲより入射することにより、導光板７Ｂを介して出射されることによる光量の低下が防止される。
【００３６】
図３は、このようにして第１の導光板７Ａより出射される照明光ＬＡ１の指向性を示す特性曲線図である。この図においては、導光板７Ｂの出射面７ＢＯの法線方向を基準にして、導光板７Ａの長手方向をＹ方向、入射面７ＡＩに沿った方向をＸ方向に設定した。この図３の測定結果によれば、この照明光ＬＡ１が楔型先端方向に傾いた指向性により出射されることがわかる。なおこの図３は、図２に示す構成において、プリズムシート９、光拡散シート１０、液晶表示パネルを取り除き、蛍光ランプ１１Ａだけを点灯して導光板７Ｂの出射面７ＢＯより指向性を測定したものである。
【００３７】
これに対して第２の導光板７Ｂにおいては、蛍光ランプ１１Ｂから射出された照明光ＬＢが入射面７ＢＩより導光板７Ｂの内部に入射し、内部の透光性の微粒子により散乱を受けながら、裏面７ＢＲと出射面７ＢＯの間で反射を繰り返して導光板７Ｂの内部を伝搬する。さらにこの伝搬する照明光ＬＢが導光板７Ａの場合と同様にして出射面７ＢＯより楔型先端方向に傾いた指向性で出射される。
【００３８】
図４は、このようにして第２の導光板７Ｂより出射される照明光ＬＢ１の指向性を示す特性曲線図である。この図においては、図３の場合と同一の条件により、一次光源３Ａの蛍光ランプ１１Ａを消灯し、一次光源３Ｂの蛍光ランプ１１Ｂを点灯して測定した。この図４の測定結果によれば、図３の場合とは逆方向で、かつ導光板７Ａの場合と同様に楔型先端方向に傾いた指向性により照明光ＬＢ１が出射されることがわかる。
【００３９】
これにより図３及び図４との対比により、２つの蛍光ランプ１１Ａ及び１１Ｂを共に点灯して出射光の指向性を測定すると、図５に示すように、照明光ＬＡ１による出射方向と照明光ＬＢ１による出射方向との２方向に指向性のピークが形成される。
【００４０】
このようにして導光板７Ａの出射面７ＢＯから出射される照明光ＬＡ１及びＬＢ１は、この出射面７ＢＯ側に配置されたプリズムシート９を透過する際に、このプリズムシート９の斜面により指向性が補正される。すなわち図６に示すように、第１の導光板７Ａ側の照明光ＬＡ１は、プリズムシート９に入射した後、この導光板７Ａの楔型先端側を向く斜面９Ａにより屈折して出射される。また第２の導光板７Ｂ側の照明光ＬＢ１は、プリズムシート９に入射した後、この導光板７Ｂの楔型先端側を向く斜面９Ｂにより屈折して出射される。
【００４１】
この実施の形態においては、導光板７Ａ及び７Ｂがほぼ等しい形状に形成されていることにより、またプリズムシート９の１対の斜面が等しい傾きに設定され、かつ頂角が６６度に設定されていることにより、これら各斜面９Ａ及び９Ｂにより屈折される照明光ＬＡ１及びＬＢ１は、それぞれ出射面の法線方向より２３度程度傾いた方向の指向性により出射される。
【００４２】
図７は、図２に示す構成において、液晶表示パネル、光拡散シート１０を取り外した状態で、第１の蛍光ランプ１１Ａのみ点灯し、第１の導光板７Ａによる照明光ＬＡ２の指向性を測定した特性曲線図である。また図８は、図７と同一の状態で、第２の蛍光ランプ１１Ｂのみ点灯し、第２の導光板７Ｂによる照明光ＬＢ２の指向性を測定した特性曲線図である。さらに図９は、図７と同一の状態で、第１及び第２の蛍光ランプ１１Ａ及び１１Ｂを点灯して、第１及び第２の導光板７Ａ及び７Ｂによる照明光ＬＡ２及びＬＢ２の指向性を測定した特性曲線図である。
【００４３】
液晶表示装置２は、このようにして生成された第１及び第２の出射方向に指向性を有する照明光ＬＡ２及びＬＢ２が、続く光拡散シート１０において弱い拡散を受けた後、液晶表示パネルに供給され、これによりこの照明光ＬＡ２及びＬＢ２の出射方向より見て、明るい画面を視聴できるのに対し、これら以外の方向より見て表示画面の明るさが低下して観察されることになる。
【００４４】
これにより蛍光ランプ１１Ａ及び１１Ｂを共に点灯して、助手席及び運転席の搭乗者５Ａ及び５Ｂの双方にて、液晶表示パネルにより形成された画像を目視できるようになる。これに対して蛍光ランプ１１Ａ又は１１Ｂのみを点灯して、助手席の搭乗者５Ａ又は運転席の搭乗者５Ｂのみが視聴可能に表示画像が形成されることになる。
【００４５】
以上の構成によれば、それぞれ一次光源を有する導光板を積層し、各導光板による指向性により照明光を出射することにより、必要に応じて指向性を種々に切り換えることができる。
【００４６】
因みに、平板状の導光板の両端面に一次光源を配置しても、この一次光源を切り換えて点灯することにより、この実施の形態のように指向性を切り換えることができる。しかしながらこの場合、一次光源の切り換えにより出射光の光量分布が著しく変化する。ところがこの実施の形態のように、それぞれ導光板を配置すれば、均一な出射光量により各方向に照明光を出射し、必要に応じて指向性を切り換えることができる。
【００４７】
また下側の第１の導光板においては、裏面に突起を繰り返し形成し、上側の第２の導光板においては、裏面を平坦な面により形成したことにより、第１の導光板より出射した照明光を効率良く出射することができ、これにより全体として照明光の利用効率を向上することができる。また運転席側と助手席側とでほぼ等しい明るさにより表示画像を視聴することができる。
【００４８】
さらに出射面を長方形形状に形成した導光板において、短辺側に一次光源を配置したことにより、液晶表示装置を車載して視聴した際に、必要とする運転席側と助手席側とに指向性を設定することができ、これにより単に蛍光ランプを選択的に点灯して、また共に点灯して所望の搭乗者のみ表示画面を視聴可能とすることができる。
【００４９】
（２）他の実施の形態
なお上述の実施の形態においては、下側の第１の導光板においては、裏面に突起を形成し、上側の第２の導光板においては、裏面を鏡面により形成する場合について述べたが、本発明はこれに限らず、実用上十分な特性が得られる場合、下側の第１の導光板においては、出射面、裏面の何れか、又は双方に突起を形成してもよく、さらには出射面、裏面を共に鏡面にしてもよい。また上側の導光板にあっては、下側の導光板より出射された照明光を効率良く透過して出射する観点からは、出射面、裏面に突起を形成しないことが望ましいが、実用上十分な特性が得られる場合、この上側の導光板においても、出射面に突起を形成してもよい。
【００５０】
さらに上述の実施の形態においては、導光板の出射面を部分的に粗面にして光散乱パターンを形成する場合について述べたが、本発明はこれに限らず、光拡散性のインクの部分的な付着により光散乱パターンを形成する場合等、種々の形成手法を広く適用することができる。
【００５１】
また上述の実施の形態においては、第１及び第２の導光板の出射面に光散乱パターンを形成する場合について述べたが、本発明はこれに限らず、この光散乱パターンを裏面に形成してもよく、また出射面及び裏面の双方に形成してもよく、さらには実用上十分な特性が得られる場合、光散乱パターンを省略してもよい。
【００５２】
さらに上述の実施の形態においては、透光性の微粒子を混入した透明部材により導光板を構成する場合について述べたが、本発明はこれに限らず、種々の光散乱性の微粒子を混入した透明部材により導光板を構成してもよく、さらにはこれらの微粒子を混入することなく、単に透明部材により導光板を構成してもよい。
【００５３】
また上述の実施の形態においては、断面楔型形状の板状部材でなる導光板を複数枚積層する場合について述べたが、本発明はこれに限らず、出射面等の種々の加工により傾いた指向性により照明光を出射する透明平板形状の板状部材を積層しても、複数の出射方向に指向性を形成でき、これにより必要に応じて指向性を切り換えることが可能となる。
【００５４】
また上述の実施の形態においては、第１及び第２の導光板にそれぞれ１本の蛍光ランプによる一次光源を配置する場合について述べたが、本発明はこれに限らず、図１０に示すように、それぞれ２本の蛍光ランプによる一次光源を配置する場合等、種々の光源による一次光源を広く適用することができる。
【００５５】
さらに上述の実施の形態においては、それぞれ一次光源を有する２枚の導光板を積層することにより、２方向に指向性を有するように面光源装置を構成する場合について述べたが、本発明はこれに限らず、種々の枚数によりそれぞれ一次光源を有する導光板を積層しても良い。因みに、図１１に示すように、方向を変えて、それぞれ一次光源を有する４枚の導光板を積層すれば、４つの出射方向にピークを有する指向性により照明光を出射することができる。
【００５６】
また上述の実施の形態においては、頂角６６度のプリズムシートを配置する場合について述べたが、本発明はこれに限らず、プリズムシートにおいては、頂角を４０度以上の範囲で適宜選定して、必要とする指向性を確保することができる。なおカーナビゲーションシステムにおいては、例えばダッシュボード等に取り付けて視聴することから、この場合は上述の実施の形態のように、頂角６６度程度により好ましい指向性を得ることができる。
【００５７】
また上述の実施の形態においては、プリズムシートにより指向性を補正する場合について述べたが、本発明はこれに限らず、必要とする指向性によっては、プリズムシートを省略してもよい。
【００５８】
さらに上述の実施の形態においては、導光板側とは逆側の面がプリズム面になるように、プリズムシートを配置する場合について述べたが、本発明はこれに限らず、必要とする指向性が得られれば、導光板側がプリズム面になるように、プリズムシートを配置してもよい。
【００５９】
さらに上述の実施の形態においては、１枚のプリズムシートにより、導光板の入射面と直交する面内方向について指向性を補正する場合について述べたが、本発明はこれに限らず、上述のプリズムシートとは突起の繰り返し方向が直交するようにプリズムシートを追加して配置し、導光板の入射面に沿った面内方向についてさらに指向性を補正してもよい。
【００６０】
また上述の実施の形態においては、１対の斜面を直接接続して断面三角形形状の突起を導光板、プリズムシートに形成する場合について述べたが、本発明はこれに限らず、１対の斜面を曲面により接続してこれらの突起を形成してもよく、また斜面自体を曲面により作成してもよい。
【００６１】
さらに上述の実施の形態においては、プリズムシートにおいて、１対の斜面の傾きを等しく設定する場合について述べたが、本発明はこれに限らず、斜面の傾きを異ならせてもよい。このようにすれば上述の第１の実施の形態においては、運転席側に向かう照明光と助手席側に向かう照明光の指向性を個々に設定することができる。
【００６２】
また上述の実施の形態においては、上側の導光板の出射面側に、プリズムシート、光拡散シートを配置する場合について述べたが、本発明はこれに限らず、これらに代えて、またはこれらに加えて、所定偏光面の照明光のみ選択的に透過し、この偏光面と直交する方向の偏光面については照明光を反射するいわゆる偏光分離シートを配置してもよい。
【００６３】
さらに上述の実施の形態においては、本発明をカーナビゲーションシステムの液晶表示装置に適用する場合について述べたが、本発明はこれに限らず、種々の車載用液晶表示装置、さらには車載用に限らず、例えばパーソナルコンピュータやゲーム機等のディスプレイとして使用される種々の液晶表示装置とその面光源装置に広く適用することができる。
【００６４】
【発明の効果】
上述のように本発明によれば、それぞれ光源を有する板状部材を積層し、各板状部材による指向性により照明光を出射するように面光源装置を構成することにより、必要に応じて指向性を切り換えることができるサイドライト型面光源装置と、このサイドライト型面光源装置を用いた液晶表示装置を得ることができる。
【図面の簡単な説明】
【図１】本発明の第１の実施の形態に係る液晶表示装置に適用されるサイドライト型面光源装置を示す分解斜視図である。
【図２】図１のサイドライト型面光源装置を周辺構成と共に示す断面図である。
【図３】プリズムシートを取り除いて第１の導光板による第１の照明光の指向性を示す特性曲線図である。
【図４】プリズムシートを取り除いて第２の導光板による第２の照明光の指向性を示す特性曲線図である。
【図５】プリズムシートを取り除いて第１及び第２の導光板による第１及び第２の照明光の指向性を示す特性曲線図である。
【図６】第１及び第２の照明光に対するプリズムシートの動作の説明に供する断面図である。
【図７】第１の導光板による第１の照明光の指向性を示す特性曲線図である。
【図８】第２の導光板による第２の照明光の指向性を示す特性曲線図である。
【図９】第１及び第２の導光板による第１及び第２の照明光の指向性を示す特性曲線図である。
【図１０】各一次光源に蛍光ランプを２個配置した場合のサイドライト型面光源装置を示す断面図である。
【図１１】４枚の導光板を積層した構成によるサイドライト型面光源装置を示す分解斜視図である。
【符号の説明】
１……サイドライト型面光源装置、２……液晶表示装置、３Ａ、３Ｂ……一次光源、７Ａ、７Ｂ……導光板、８……反射シート、９……プリズムシート、１１Ａ、１１Ｂ……蛍光ランプ
【図１】
0003676076.tif 000002
【図２】
0003676076.tif 000003
【図３】
0003676076.tif 000004
【図４】
0003676076.tif 000005
【図５】
0003676076.tif 000006
【図６】
0003676076.tif 000007
【図７】
0003676076.tif 000008
【図８】
0003676076.tif 000009
【図９】
0003676076.tif 000010
【図１０】
0003676076.tif 000011
【図１１】
0003676076.tif 000012